(57)【特許請求の範囲】
【請求項１】
螺旋溝を有し、回転して吐出口よりトナーを吐出するトナー補給器において、内栓と、該内栓と係合されており、該内栓の内側より押えを行う押え部材と、セットされた時、前記押え部材をボトル側に押し、前記押えを行う凸部を有する外栓とを有し、
前記押え部材は、閉栓時に前記押えを行い、開栓時に前記押えを開放し、前記押え部材の円周上にスリットを有することを特徴とするトナー補給器。
【請求項２】
螺旋溝を有し、回転して吐出口よりトナーを吐出するトナー補給器において、内栓と、該内栓と係合されており、該内栓の内側より押えを行う押え部材と、セットされた時、前記押え部材をボトル側に押し、前記押えを行う凸部を有する外栓とを有し、
前記押え部材は、閉栓時に前記押えを行い、開栓時に前記押えを開放し、
前記内栓の外周に係合されている弾性部材をさらに有し、前記押え部材は、前記閉栓時、前記内栓の内壁を介して前記弾性部材の押えを行い、前記開栓時に前記押えを開放していることを特徴とするトナー補給器。
【発明の詳細な説明】
【０００１】
【発明の属する技術分野】
本発明は、複写機、ファクシミリ、プリンタ等の画像形成装置にトナーを補給するトナー補給器に関する。
【０００２】
【従来の技術】
図９は、特開平７−１５６９５５号公報に係る容器のキャップ装置の要部を示す図である。特開平７−１５６９５５号公報は、凹溝、突条、筒体の組み合わせにより、容器とキャップの密閉状態を良好にする構成を開示している。図１０は、特開平７−５７５９号公報に係る現像材補給装置の開口部を示す図である。本出願人に係る特開平７−５７５９号公報は、着脱可能な中栓の構成を開示している。
【０００３】
【発明が解決しようとする課題】
内栓着脱手段によって着脱する内栓が経時（特に高温放置後）において、その外径が収縮し、ユルクなる。そのため外栓を外し、容器を傾けた時、内栓が外れ、トナー漏れが発生する。当該トナー漏れ防止のため、内栓の外径を大きくした場合、初期の内栓着脱力が必要以上に大きくなりすぎ、着脱が不可能または困難になる。
【０００４】
本発明は、上記問題点に鑑みなされたものであり、内栓の着脱力を経時において安定させつつも、補給時に内栓のトナー漏れを防止するトナー補給器を提供することを目的とする。
【０００５】
【課題を解決するための手段】
かかる目的を達成するために、請求項１記載の発明は、螺旋溝を有し、回転して吐出口よりトナーを吐出するトナー補給器において、内栓と、内栓と係合されており、内栓の内側より押えを行う押え部材と、を有することを特徴としている。
【０００６】
請求項２記載の発明は、請求項１記載の発明において、押え部材は、閉栓時に押えを行い、開栓時に押えを開放することを特徴としている。
【０００７】
請求項３記載の発明は、請求項１または２記載の発明において、セットされた時、押え部材をボトル側に押し、押えを行う凸部を有する外栓をさらに有することを特徴としている。
【０００８】
請求項４記載の発明は、請求項１から３のいずれか１項に記載の発明において、押え部材は、押え部材の円周上にスリットを有することを特徴としている。
【０００９】
請求項５記載の発明は、請求項１から４のいずれか１項に記載の発明において、内栓の外周に係合されている弾性部材をさらに有し、押え部材は、閉栓時、内栓の内壁を介して弾性部材の押えを行い、閉栓時に押えを開放していることを特徴としている。
【００１０】
【発明の実施の形態】
以下、本発明の実施の形態を添付図面を参照しながら詳細に説明する。
【００１１】
図１は、本発明の第１の実施の形態におけるトナー補給器の構成を示す断面図である。トナー補給器は、容器１の中に螺旋溝２を有し、回転してトナーを吐出する。回転して吐出口よりトナーを吐出するトナー容器１において、内栓２６と外栓１１とにより吐出口の開閉を行う。内栓２６には、押え部材２４が係合されている。
【００１２】
外栓１１の内側に凸部１２があり、外栓１１を容器１にセットすると、内栓２６の押え部材２４をボトル側へ移動させる。押え部材２４は、ボトル側へ移動させられると、内栓２６の内側より押えを行う。以下、この仕組みを説明する。
【００１３】
図２は、本発明の第１の実施の形態におけるトナー補給器の閉栓状態を示す断面図である。図３は、本発明の第１の実施の形態におけるトナー補給器の開栓状態を示す断面図である。また、図２、図３は、各状態における内栓２６と押え部材２４との関係も示している。図２に示すように、押え部材２４は、閉栓時にボトル側に移動し、押え部材２４の凸部で内栓２６の凸部の押えを内側から行う。一方、図３に示すように、押え部材２４は、開栓時に上記と反対側に移動し内栓２６の内側からの押えを開放する。即ち、内栓２６の凸部と押え部材２４との接触が解消される。
【００１４】
図４は、本発明の第１の実施の形態における押え部材を示す側断面図である。図５は、本発明の第１の実施の形態における押え部材を示す正面図である。押え部材２４には、円周上に弾力性を持たすためのスリットがある。
【００１５】
次に、本発明の第２の実施の形態について説明する。図６は、本発明の第２の実施の形態における開栓状態の内栓と押え部材とを示す断面図である。図７は、本発明の第２の実施の形態における閉栓状態の内栓と押え部材とを示す断面図である。図８は、本発明の第２の実施の形態におけるトナー補給器の構成を示す断面図である。本実施の形態は、内栓２６の外周に容器１との密閉性を高めるための弾性部材が係合させる。図７に示すように、閉栓時に、押え部材２４は、内栓２６の弾性部材に対応する位置に係る内壁の押えを行っている。
【００１６】
なお、上述した実施の形態は、本発明の好適な実施の形態の一例を示すものであり、本発明はそれに限定されることなく、その要旨を逸脱しない範囲内において、種々変形実施が可能である。
【００１７】
【発明の効果】
以上の説明から明らかなように、内栓に押え部材を有しているため、閉栓後の経時（特に高温放置後）において、内栓の外径の収縮が防止出来るため外栓を外し、装置にセットする際の内栓外れによるトレー漏れがなくなる。
【００１８】
また、押え部材は閉栓時押えを行い、開栓時に押えを開放することにより、内栓の開栓力・閉栓力を安定させることができる。
【００１９】
また、外栓のフタの内側に凸を設けることにより、外栓を閉めた時、内栓の内栓の押え部材が押えを行うようにさせることができる。
【００２０】
また、押え部材の円周上にスリットがあることにより、押え部材に弾性力を持たせることができ、安定した開閉力が得られる。
【００２１】
また、内栓の外周に弾性部材を設け、開栓時に内栓の内側より押え部材により押えを行うことにより、より経時の内栓の密封性の低下防止が可能となる。
【図面の簡単な説明】
【図１】本発明の第１の実施の形態におけるトナー補給器の構成を示す断面図である。
【図２】本発明の第１の実施の形態におけるトナー補給器の閉栓状態を示す断面図である。
【図３】本発明の第１の実施の形態におけるトナー補給器の開栓状態を示す断面図である。
【図４】本発明の第１の実施の形態における押え部材を示す側断面図である。
【図５】本発明の第１の実施の形態における押え部材を示す正面図である。
【図６】本発明の第２の実施の形態における開栓状態の内栓と押え部材とを示す断面図である。
【図７】本発明の第２の実施の形態における閉栓状態の内栓と押え部材とを示す断面図である。
【図８】本発明の第２の実施の形態におけるトナー補給器の構成を示す断面図である。
【図９】従来技術における容器のキャップ装置の要部を示す図である。
【図１０】従来技術における現像材補給装置の開口部を示す図である。
【符号の説明】
１  容器
２  螺旋溝
３  すくい部
１１  外栓
１２  突起部（外栓）
２３  ツバ部
２４  押え部材
２５  係合部
２６  内栓
【図１】
0004732605.tif 000002
【図２】
0004732605.tif 000003
【図３】
0004732605.tif 000004
【図４】
0004732605.tif 000005
【図５】
0004732605.tif 000006
【図６】
0004732605.tif 000007
【図７】
0004732605.tif 000008
【図８】
0004732605.tif 000009
【図９】
0004732605.tif 000010
【図１０】
0004732605.tif 000011